【事件の表示】
　特願２００３−２７３３６６「ロール状物保持具及びロール状物保持構造」拒絶査定不服審判事件〔平成１７年　２月　３日出願公開、特開２００５−　２９２４２、請求項の数（７）〕について、次のとおり審決する。
【結　論】
　原査定を取り消す。
　本願の発明は、特許すべきものとする。
【理　由】
１．手続の経緯
　この出願は、平成１５年７月１１日の出願であって、平成２０年１１月２６日付けで拒絶査定がなされ、これに対し、平成２０年１２月２６日に拒絶査定を不服として審判請求がなされ、平成２１年１月２６日付けで手続補正がなされたものである。
　
２．本願発明
　この出願の請求項１ないし７に係る発明（以下、請求項１に係る発明を「本願発明」という。）は、平成２１年１月２６日付けの手続補正書によって補正された特許請求の範囲、明細書及び図面の記載からみて、この出願の特許請求の範囲の請求項１ないし７に記載された次のとおりのものであると認められる。
「　【請求項１】
　方形状又は多角形状の板状部の内面の中央に帽筒状支持部を突設し、外面に補強リブを設け、周縁に前記帽筒状支持部よりも長い壁部を立設してなる導電性樹脂製の保持具片（Ａ）と、壁部が前記保持具片（Ａ）の壁部内に入れ子状に挿入されて嵌合する以外は同じ構成からなる保持具片（Ｂ）とからなり、ロール状物の幅に応じて入れ子状に挿入され嵌合する壁部の重なり幅を調整可能であることを特徴とするロール状物保持具。
　　【請求項２】
　保持具片（Ａ）の壁部と保持具片（Ｂ）の壁部とが長さを異にする請求項１記載のロール状物保持具。
　　【請求項３】
　板状部に梱包用バンド溝を設けた請求項１又は２記載のロール状物保持具。
　　【請求項４】
　請求項１〜３のいずれか１項に記載の保持具片（Ａ）、（Ｂ）の帽筒状支持部を、芯管に帯状物を巻回したロール状物の該芯管に両側から嵌入させたことを特徴とするロール状物保持構造。
　　【請求項５】
　保持具片（Ａ）の壁部内に保持具片（Ｂ）の壁部が入れ子状に挿入されて嵌合している請求項４記載のロール状物保持構造。
　　【請求項６】
　保持具片（Ａ）、（Ｂ）の板状部の内面とロール状物の端面とが密着している請求項４又は５記載のロール状物保持構造。
　　【請求項７】
　保持具片（Ａ）、（Ｂ）の板状部の内面とロール状物の端面との空間部に緩衝材を充填してなる請求項４又は５記載のロール状物保持構造。」
　
３．引用文献
　原査定における拒絶の理由に引用された特開平７−１０１４８５号公報（以下「引用文献１」という。）には、以下の事項が図面とともに記載されている。
　
（ア）「【特許請求の範囲】
【請求項１】  外平面に同一形状を有する他のケースの対応した凹凸部に嵌合し得る凹凸部を設けた平面壁と、前記外平面の周囲で垂直に曲がって延長していて、対向する辺同士の縁部付近で係止片あるいは該係止片と係止し合う係止用凹部が外側に設けてある側壁と、前記平面壁と前記側壁とで画成され、中央に中芯部と該中芯部を囲むハブ受け面とを有する収容部と、から構成され、前記側壁が、内側とこれに対応する外側とに全周に亙って同一形状を有する他のケースと入れ子式に嵌合できる段差を設けたことを特徴とする記録媒体の収納ケース。」
（イ）「【０００１】
【産業上の利用分野】本発明は、オーディオテープ及びビデオテープのパンケーキ、フロッピークッキー（フロッピー積層体）、光ディスク積層体等の記録媒体積層体を包装する容器を構成するケースに関する。」
（ウ）「【０００２】
【従来技術と解決課題】従来、オーディオ及びビデオ等の磁気テープを輸送する場合、原反から製品幅に切断した磁気テープをハブに巻回しただけのいわゆるパンケーキの状態で包装を行っている。その際、包装方法として一般には、一面に広く凹部を設けた発泡ポリスチレンの容器を用い、その凹部にパンケーキ１０〜３０巻を一梱包単位としたものをトレイ方式及びデコレーション方式で収容する。（トレイ方式とは１パンケーキを１トレイに乗せ１０〜３０巻数分を積み重ねた後ＰＰ（ポリプロピレン）バンドとスリーブフィルムを巻き、段ボールに入れる方式であり、デコレーション方式とは１ケースに１５巻を入れて２ケースを段ボールに入れる方式である。）
しかしながら、いずれの場合も、ポリスチレン発泡体製の容器であるため強度が劣り、脆く欠け易いため塵埃が発生し易く、通い化も困難であった（２〜３回で廃棄処分される）。」
（エ）「段落【０００４】
【課題を解決するための手段】外平面に同一形状を有する他のケースの対応した凹凸部に嵌合し得る凹凸部を設けた平面壁と、前記外平面の周囲で垂直に曲がって延長していて、対向する辺同士の縁部付近で係止片あるいは前記係止片と係止し合う係止用凹部が外側に設けてある側壁と、前記平面壁と前記側壁とから画成され、中央に中芯部と当該中芯部を囲むハブ受け面とを有する収容部と、から構成されることを特徴とし、前記側壁の内側及び外側に全周に亙って同一形状を有する他のケースと入れ子式に嵌合できる段差を設けたことを特徴とする記録媒体の収納ケースである。このケースを二個上下向き合わせると収納容器となり、使用後は多数個同じ向きに積み重ねれば通い化に便利である。」
（オ）「【０００６】これら図１〜４を参照して、収納容器１０を構成する上部ケース１２ａと下部ケース１２ｂとは、ブロー成形又は射出成形での同一金型による同一形状の成形品であって、全体的にほぼ四角形をなしており、ずれ止め凸部１６とずれ止め凹部１７とが各々複数設けてある外平面１５を有する平面壁と、この外平面１５の周囲で垂直に曲がって延長していて係止片２１あるいはこの係止片２１と係止し合う係止用凹部２２（図２）が外側に設けてある側壁１８と、これら外平面１５を有する平面壁と側壁１８とから形成される収容部２０と、から構成される。この同じ形状のケース（１２ａ、１２ｂ）二つを向き合わせ適当に回転させて重ね合わせると、図１及び図２のような状態になる。」
（カ）「【００１０】側壁１８により限定される収容部２０には、外平面１５と概して同一形状であるが、その中央にパンケーキ３３の巻かれているハブ３１の貫通孔３４に挿入してこれをを固定する中芯１９が一体成形してある。この中芯１９は、ハブ３１の自由を制限するためのハブ回り止めリブ３０をもつ。」
（キ）「【００１１】収容部２０には、またパンケーキ積層体のハブ３２の端部を受容するハブ受け面２３が中芯１９の周囲に設けてあって、パンケーキ３３に加わる不要な力を低減する。このハブ受け面２３の周囲には、さらにパンケーキ輸送時の衝撃を吸収するためのスペーサ２４が接着してあって、パンケーキ３３をケース１２ａ及び１２ｂのスペーサ２４で挟んで保護する。なお、別法として、スペーサ２４は、取り替えできるように必ずしも接着しなくてもよい。」
（ク）「【００１２】
【発明の効果】適当な材料によるブロー成形又は射出成形により、強度の高い容器が得られるので、繰り返し何度でも使えて収納容器の通い資材化でのコストダウンが図れる。塵埃の発生が皆無なので磁気テープの表面に付着する心配もない。また側壁に段差を設けたので返却時に同一方向に積み重ねて占有容積が小さくできる上、この積み重ねの時に各ケース同士が互いに係止されていればケースの落下などの発生を防げる。それから、同一形状のケースを向き合わて組み合わせるだけで構成される容器であるから、部品点数を最小にでき又、梱包及び開梱作業が側面のロック手段（四か所）のみの作業となり作業効率の向上が図れる。」
　
　以上の記載事項によれば、引用文献１には、次の発明（以下「引用発明１」という。）が記載されていると認められる。
「上部ケース１２ａと下部ケース１２ｂとから構成される収納容器１０であって、上部ケース１２ａと下部ケース１２ｂは、同一形状の成形品であって、全体的にほぼ四角形をなしており、ずれ止め凸部１６とずれ止め凹部１７とが各々複数設けてある外平面１５を有する平面壁と、この外平面１５の周囲で垂直に曲がって延長していて係止片２１あるいはこの係止片２１と係止し合う係止用凹部２２が外側に設けてある側壁１８と、これら外平面１５を有する平面壁と側壁１８とから形成される収容部２０と、から構成され、収容部２０には、その中央にパンケーキ３３の巻かれているハブ３１の貫通孔３４に挿入してこれを固定する中芯１９が一体成形してある、パンケーキ積層体の収納容器１０。」
　
４．対比
　本願発明と引用発明１とを対比する。
　引用発明１の「平面壁」は、全体的にほぼ四角形をなしたものであるから、本願発明の「方形状又は多角形状の板状部」に相当する。
　引用発明１の「外平面１５」、「外平面１５の周囲」、「側壁１８」、「上部ケース１２ａ」、「下部ケース１２ｂ」及び「収納容器１０」は、それぞれ本願発明の「外面」、「周縁」、「壁部」、「保持具片（Ａ）」、「保持具片（Ｂ）」及び「保持具」に相当する。
　引用発明１の「パンケーキ積層体」は、パンケーキ３３が積層した結果、全体としてロール状をなすものであるから、本願発明の「ロール状物」に相当する。
　また、引用発明１の「中芯１９」は、帽筒状をなすものではないものの、本願発明の「帽筒状支持部」と、支持部である限りにおいて一致する。
　
　そうすると、本願発明と引用発明１は、「方形状又は多角形状の板状部の内面の中央に支持部を突設し、周縁に支持部よりも長い壁部を立設してなる保持具片（Ａ）と、保持具片（Ａ）に嵌合する保持具片（Ｂ）とからなるロール状物保持具」である点で一致し、以下の相違点１ないし４において相違する。
　
（相違点１）
　本願発明は、支持部が帽筒状であるのに対し、引用発明１は、中芯１９が帽筒状ではない点。
　
（相違点２）
　本願発明は、板状部の外面に補強リブを設けているのに対し、引用発明１は、平面壁の外平面１５に補強リブを設けていない点。
　
（相違点３）
　本願発明は、保持具片（Ｂ）が、その壁部が保持具片（Ａ）の壁部内に入れ子状に挿入されて嵌合する以外は保持具片（Ａ）と同じ構成からなり、ロール状物の幅に応じて入れ子状に挿入され嵌合する壁部の重なり幅を調整可能としたものであるのに対し、引用発明１は、上部ケース１２ａと下部ケース１２ｂが、同一形状であり、係止片２１と係止用凹部２２とによって係止されるものである点。
　
（相違点４）
　本願発明は、保持具片が導電性樹脂製であるのに対し、引用発明１は、上部ケース１２ａと下部ケース１２ｂの材料について特定がない点。
　
５．判断
　本願発明の主要部に係る相違点３について判断する。
　
５．１　相違点３に関連する周知技術
　原査定が指摘するとおり、梱包箱の蓋体と本体をスライド可能に嵌合させ、収納する物品の高さに応じて梱包箱の高さを変えることは、例えば特開平８−１１８６５号公報、実願平５−３１９３５号（実開平６−８５２１６号）のＣＤ−ＲＯＭ及び実願平４−７６３１４号（実開平６−４２６３９号）のＣＤ−ＲＯＭに示されているように、周知技術であるといえる。
　
５．２　引用発明１に周知技術を適用することの可否
　引用発明１は、上部ケース１２ａと下部ケース１２ｂとが同一形状であることを前提とした発明であり、それにより部品点数を最小にし、かつ、返却時に同一方向に積み重ねて占有容積を小さくできるという引用発明１の効果を奏するものである。
　一方、上記周知技術は、蓋体と本体をスライド可能に嵌合するには、少なくともそれらの側壁の形状を変える必要があることから、蓋体と本体とは違う形状を前提とした技術である。
　さらに、引用発明１においては、異なる幅のパンケーキ３３を収納する場合に、パンケーキ３３の数を増減させることにより、パンケーキ積層体の幅を収納容器１０の幅に合わせて調整可能なものである。
　よって、引用発明１と上記周知技術とは、上記したように発明の前提が異なるものであり、また、引用発明１は、異なる幅のパンケーキ３３を収納する場合でも、収納容器１０のサイズを調整する必要性は必ずしもないものであることから、引用発明１に上記周知技術を適用する動機付けはなく、引用発明１に上記周知技術を適用することを容易に想到することができたものとは認められない。
　
５．３　結び
　以上のとおりであるから、本願発明のうち相違点３に係る構成につき、引用発明１及び上記周知技術に基いて当業者が容易に想到することができたものであるとはいえない。
　したがって、ほかの相違点について判断するまでもなく、本願発明が、特許法第２９条第２項の規定により特許を受けることができないとすることはできない。
　そして、請求項２ないし７に係る発明は、いずれも本願発明のいわゆる発明特定事項のすべてを有していることから、本願発明と同様に、特許法第２９条第２項の規定により特許を受けることができないとすることはできない。
　
　また、ほかにこの出願を拒絶すべき理由を発見しない。
　
　よって、結論のとおり審決する。